(57)【要約】【課題】最後まで、芳香脱臭粒子の揮発による分子の外部への単位時間毎の拡散量が安定である砂時計式芳香脱臭器を提供する。【解決手段】缶１０と、台座２０と、ホッパー３０と、を含む砂時計式芳香脱臭器において、缶１０には、芳香脱臭粒子１１が多数充填され、缶１０の底端には缶開口１２が設けられ、台座２０は、缶１０の底端に嵌め設けられ、その側壁には貫通孔２１が多数設けられ、ホッパー３０は、缶１０と台座２０の間に介装されており、その上端開口３１が缶１０の底端に設けられた缶開口１２を収容しており、その壁面には貫通孔３２が多数設けられ、その底端には排出穴３３が設けられている。【選択図】図３
0003151337.tif 000002
【実用新案登録請求の範囲】
【請求項１】
缶と、台座と、ホッパーと、を含む砂時計式芳香脱臭器において、
前記缶には、芳香脱臭粒子が多数充填され、前記缶の底端には缶開口が設けられ、
前記台座は、前記缶の底端に嵌め設けられ、その側壁には貫通孔が多数設けられ、
前記ホッパーは、前記缶と前記台座の間に介装され、その上端開口が前記缶の底端に設けられた前記缶開口を収容し、その壁面には貫通孔が多数設けられ、その底端には排出穴が設けられ、重力により前記缶の内部に充填されている芳香脱臭粒子が徐々に前記ホッパーに落下して前記ホッパーで揮発し、揮発により芳香脱臭粒子の体積が小さくなり、直径が前記ホッパーの底端に設けられた前記排出穴の内径よりも小さい芳香脱臭粒子が前記排出穴を通過して前記台座に落下して前記台座に収容されることを特徴とする砂時計式芳香脱臭器。
【請求項２】
使用される前には、前記缶の缶開口が蓋により密封されることを特徴とする請求項１に記載の砂時計式芳香脱臭器。
【考案の詳細な説明】
【技術分野】
【０００１】
本考案は、砂時計式芳香脱臭器に関し、特に、重力により芳香脱臭粒子がホッパーに落下してホッパーで揮発し、揮発により芳香脱臭粒子の体積が小さくなり、直径がホッパーの底端に設けられた開口の内径よりも小さい芳香脱臭粒子が開口を通過して台座に落下して台座に収容される砂時計式芳香脱臭器に関するものである。
【背景技術】
【０００２】
従来の芳香脱臭器は、多数の芳香脱臭粒子が充填されている缶と、前記缶を被っている上蓋と、を含むことが一般であり、前記上蓋には貫通孔が多数設けられており、使用状態では、前記缶に充填されている芳香脱臭粒子から揮発する分子が前記貫通孔を経由して外部に拡散する。
しかしながら、このような芳香脱臭器によれば、前記缶が高いので、使用時間が長いと前記缶に充填されている芳香脱臭粒子が小さくなり、これにより、芳香脱臭粒子と前記貫通孔との間の距離が長くなり、終に前記貫通孔を経由して放出される芳香脱臭粒子の揮発による分子が減少する問題があった。
【考案の概要】
【考案が解決しようとする課題】
【０００３】
本考案の主な目的は、最後まで、芳香脱臭粒子の揮発による分子の外部への単位時間毎の拡散量が安定である砂時計式芳香脱臭器を提供することにある。
【課題を解決するための手段】
【０００４】
本考案の請求項１に記載の砂時計式芳香脱臭器によると、缶と、台座と、ホッパーと、を含む砂時計式芳香脱臭器において、前記缶には、高分子粒子である芳香脱臭粒子が多数に充填されており、前記缶の底端には缶開口が設けられ、前記台座は、前記缶の底端に嵌め設けられ、その側壁には貫通孔が多数設けられ、前記ホッパーは、前記缶と前記台座の間に介装され、その上端開口が前記缶の底端に設けられた前記缶開口を収容し、その壁面には貫通孔が多数設けられ、その底端には排出穴が設けられ、重力により前記缶の内部に充填されている芳香脱臭粒子が徐々に前記ホッパーに落下して前記ホッパーで揮発し、揮発により芳香脱臭粒子の体積が小さくなり、直径が前記ホッパーの底端に設けられた前記開口の内径よりも小さい芳香脱臭粒子が前記開口を通過して前記台座に落下して前記台座に収容されることを特徴とする砂時計式芳香脱臭器である。
本考案の請求項２に記載の砂時計式芳香脱臭器によると、使用される前には、前記缶の缶開口が蓋により密封される。
【考案の効果】
【０００５】
本考案の砂時計式芳香/脱臭器によれば、最後まで、芳香脱臭粒子の揮発による分子の外部への単位時間毎の拡散量が安定であるという効果を有する。
【図面の簡単な説明】
【０００６】
【図１】本考案の一実施形態による砂時計式芳香脱臭器の分解斜視図である。
【図２】本考案の一実施形態による砂時計式芳香脱臭器の使用状態を示す模式図である。
【図３】図２における３−３線の断面図である。
【考案を実施するための形態】
【０００７】
以下、本考案の実施の形態を図面に基づいて説明する。
（一実施形態）
まず、図１から図３を参照する。本考案の一実施形態に係る砂時計式芳香脱臭器によれば、重力により缶１０に充填されている高分子粒子である芳香脱臭粒子１１がホッパー３０に落下して、芳香脱臭分子が揮発する。使用期間が長くなると、ホッパー３０に落下した芳香脱臭粒子１１の体積が揮発によって小さくなり、直径がホッパー３０の底端に設けられた排出穴３３の内径よりも小さい芳香脱臭粒子１１が排出穴３３を通過して台座２０に落下し、このとき、缶１０に充填されている芳香脱臭粒子１１がホッパー３０に落下する。芳香脱臭粒子１１は、相違する薬剤を含有していることにより、相違する用途に使用可能であり、例えば、製造時に粒子に芳香剤を加えると粒子が芳香粒子になり、なお、製造時に粒子に脱臭剤を加えると粒子が脱臭粒子になる。
本考案に係る砂時計式芳香脱臭器は、缶１０と、台座２０と、ホッパー３０と、を含む。
【０００８】
缶１０には、芳香脱臭粒子１１が多数に充填されており、缶１０の底端には缶開口１２が設けられており、使用される前には、缶１０の缶開口１２が蓋１３に密封される。台座２０は、缶１０の底端に嵌め設けられており、その側壁には貫通孔２１が多数設けられている。ホッパー３０は、缶１０と台座２０の間に介装されており、その上端開口３１が缶１０の底端に設けられた缶開口１２を収容しており、その壁面には貫通孔３２が多数に設けられており、その底端には排出穴３３が設けられている。このように、缶１０に被せられている蓋１３を取り外すと、重力により缶１０の内部に充填されている芳香脱臭粒子１１が徐々にホッパー３０に落下してホッパー３０で揮発し、芳香脱臭粒子１１の揮発による分子が、ホッパー３０に設けられた貫通孔３２と、台座２０に設けられた貫通孔２１と、を経由して外部に拡散する。なお、揮発により芳香脱臭粒子１１の体積が小さくなり、直径がホッパー３０の底端に設けられた排出穴３３の内径よりも小さい芳香脱臭粒子１１が排出穴３３を通過して台座２０に落下して台座２０に収容される。
【０００９】
次に、本考案に係る砂時計式芳香脱臭器の使用状態を説明する。ホッパー３０に落下された芳香脱臭粒子１１が揮発によって小さくなり、直径がホッパー３０の底端に設けられた排出穴３３の内径よりも小さい芳香脱臭粒子１１が排出穴３３を通過して台座２０に落下して台座２０に収容され、このとき、缶１０に充填されている芳香脱臭粒子１１がホッパー３０に落下する。これにより、ホッパー３０内の芳香脱臭粒子１１の数量は、自動的に補充され、一定に維持される。したがって、最後まで、芳香脱臭粒子１１の揮発による分子の外部への単位時間毎の拡散量が安定になる。
このように、本考案が、特定の例を参照して説明したが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【産業上の利用可能性】
【００１０】
本考案は、芳香脱臭器に適用することができる。
【符号の説明】
【００１１】
１０：缶、１１：芳香脱臭粒子、１２：缶開口、１３：蓋、２０：台座、２１：貫通孔、３０：ホッパー、３１：上端開口、３２：貫通孔、３３：排出穴
【図１】
0003151337.tif 000003
【図２】
0003151337.tif 000004
【図３】
0003151337.tif 000005